(57)【要約】  放射線検出器１において、半導体層３、アクティブマトリックス基板９、絶縁性の補助板１１、および枠材１３により囲まれて構成された空間ＳＰは、その空間ＳＰ内部に注入される高耐圧の硬化性合成樹脂の膜厚に急激な変化が無く緩やかに変化するように構成されている。そのため、注入された高耐圧の硬化性合成樹脂が硬化収縮した後に、半導体層３上の特定の位置に集中していた応力を分散させることができるので、半導体層３の部分的な劣化、すなわち、欠損画素の発生および欠損画素の増大、増加を抑制することができる。これにより、放射線検出器１を長寿命化することができる。
2011055508.tif 000002
【特許請求の範囲】
【請求項１】
放射線の入射により電荷を生成する放射線感応型の半導体層と、
前記半導体層の下層に配置され、前記半導体層で生じた電荷を収集する画素電極と前記電荷を読み出す電荷読み出し回路とが形成されたアクティブマトリックス基板と、
前記半導体層を挟んで前記アクティブマトリックス基板と対面して配置され、前記アクティブマトリクス基板と同程度の熱膨張係数を有する絶縁性の補助板と、
前記補助板を支持するとともに、前記アクティブマトリックス基板と前記補助板との間のスペーサとして用いられる枠材と、
少なくとも前記半導体層、前記アクティブマトリックス基板、前記補助板、および前記枠材により囲まれて構成された空間に高耐圧の硬化性合成樹脂を注入硬化させて形成される高耐圧の硬化性合成樹脂膜と、を備えていて、
前記空間を構成する少なくとも前記半導体層、前記アクティブマトリックス基板、前記補助板、および前記枠材のいずれか、またはそれらの隣接する２つの表面に生じた段差には、傾斜が形成されていることを特徴とする放射線検出器。
【請求項２】
請求項１に記載の放射線検出器において、
前記空間の上面にあたる前記枠材は、前記空間の上面にあたる前記補助板の表面と同じ高さに合わせて平面状に形成されていることを特徴とする放射線検出器。
【請求項３】
請求項２に記載の放射線検出器において、
前記空間の上面にあたる前記枠材は、さらに、前記アクティブマトリックス基板上に形成された前記半導体層の外側の領域と対面する前記空間の上面にあたる前記枠材の領域に、前記半導体層と同じ厚みの段差が設けられていることを特徴とする放射線検出器。
【請求項４】
請求項１から３のいずれかに記載の放射線検出器において、
前記補助板の端部が前記半導体層よりも外側に位置している場合、前記空間の上面にあたる前記補助板は、前記アクティブマトリックス基板上に形成された前記半導体層の外側の領域と対面する前記空間の上面にあたる前記補助板の領域に、前記半導体層と同じ厚みの厚み補正部材が形成されていることを特徴とする放射線検出器。
【請求項５】
請求項２または３に記載の放射線検出器において、
前記空間内部の前記補助板と前記枠材との隙間に生じた段差には、埋め込み樹脂部が形成されていることを特徴とする放射線検出器。
【請求項６】
請求項４に記載の放射線検出器において、
前記空間内部の前記補助板および前記厚み補正部材と前記枠材との隙間に生じた段差には、埋め込み樹脂部が形成されていることを特徴とする放射線検出器。
【請求項７】
請求項６に記載の放射線検出器において、
前記補助板と前記枠材は一体成形され、前記枠材は前記厚み補正部材および前記埋め込み樹脂部を含むように形成されていることを特徴とする放射線検出器。
【請求項８】
請求項４に記載の放射線検出器において、
前記厚み補正部材は、アクリル、エポキシ樹脂、ポリカーボネートおよび石英ガラスのいずれかで形成されていることを特徴とする放射線検出器。
【請求項９】
請求項５または６に記載の放射線検出器において、
前記埋め込み樹脂部は、エポキシ樹脂で形成されていることを特徴とする放射線検出器。
【請求項１０】
請求項１から９のいずれかに記載の放射線検出器において、
前記空間を構成する少なくとも前記半導体層、前記アクティブマトリックス基板、前記補助板、および前記枠材のいずれか、またはそれらの組み合わせの表面に生じた段差には、前記段差の角部に面取りまたは丸み付けさせて傾斜が形成されていることを特徴とする放射線検出器。
【発明の詳細な説明】
【技術分野】
【０００１】
本発明は、放射線の入射により電荷を生成する放射線感応型の半導体層を備えていて、医療分野、工業分野、さらには、原子力分野などに用いられる直接変換タイプの放射線検出器に係り、特に放射線感応型の半導体層に加わるストレスの軽減を図るための技術に関する。
【背景技術】
【０００２】
放射線（例えばＸ線）の入射により電荷を生成する放射線感応型の半導体層を備えた直接変換タイプの放射線検出器は、入射放射線が先ず光に変換された後で変換光がさらに光電変換で電気信号に変換される間接タイプの検出器と違って、放射線感応型の半導体層により入射放射線が直ちに電気信号としての電荷に変換される。【０００３】
この直接変換タイプの放射線検出器（以下、適宜「放射線検出器」と略記）は、従来、半導体層等の変質を防止するとともに耐電圧を向上させる目的のため、アクティブマトリックス基板上に形成された半導体層と共通電極とを覆うように高耐圧の硬化性合成樹脂膜が形成されている（例えば、特許文献１および２参照）。【０００４】
すなわち、従来型の放射線検出器１０１は、図１１および図１２に示すように、半導体層１０３と、その上面に共通電極１０５とを備えている。半導体層１０３の下層には、アクティブマトリックス基板１０９が備えられている。また、放射線検出器１０１は、半導体層１０３を挟んでアクティブマトリックス基板１０９と対面して配置された絶縁性の補助板１１１と、枠材１１３とを備えている。また、放射線検出器１０１は、半導体層１０３、アクティブマトリックス基板１０９、補助板１１１、および枠材１１３で囲まれて構成された空間ＳＰ内部に硬化性合成樹脂膜１１５が、アクティブマトリックス基板１０９上に形成された半導体層１０３と共通電極１０５とを覆うように形成されている。【０００５】
なお、特許文献１には、硬化性合成樹脂膜１１５は、上述した放射線検出器１０１の内部空間ＳＰに硬化性合成樹脂を注入硬化して形成されることが記載されている。【０００６】
放射線検出器１０１の内部空間ＳＰに形成される硬化性合成樹脂膜１１５の厚みは、バイアス印加用リード線（ケーブル）の引き回しなど、絶縁させるためにある程度の空間が必要であり、また、製作上の簡便さ、取扱いのやりやすさから、半導体層１０３、絶縁性の補助板１１１、および枠材１１３の形状に基づいて決まっていた。そのため、硬化性合成樹脂膜１１５の厚みは、それらの形状により段差を有する構成となっていた。【０００７】
なお、特許文献２には、硬化性合成樹脂膜１１５は、半導体層１０３の放射線画像を得る有効画素領域を覆う部分とリード線の接続領域を覆う部分との膜厚に段差を設けることが記載されている。これにより、硬化性合成樹脂膜１１５は、半導体層１０３の有効画素領域を覆う部分の膜厚がリード線の接続領域を覆う部分の膜厚よりも薄くなっているので、硬化性合成樹脂膜１１５に起因して半導体層１０３に加わるストレスを軽減することができる。一方、リード線の接続領域を覆う部分の膜厚は、半導体層１０３の有効画素領域を覆う部分の膜厚よりも厚くなっているので、沿面放電防止機能の低下を抑制することできる。
【特許文献１】特許第３８８８３５８号公報
【特許文献２】特許第４０６６９７２号公報
【発明の開示】
【発明が解決しようとする課題】
【０００８】
しかしながら、このような構成を有する従来型の放射線検出器１０１の場合には、次のような問題がある。すなわち、従来型の放射線検出器１０１は、高耐圧の硬化性合成樹脂膜１１５を使用した場合、半導体層１０３の四隅、あるいは補助板１１１と枠材１１３との接合部分近傍で、他の部分より欠損画素が多く発生した（図９（ａ）参照）。そして、欠損画素は、時間とともに増大、増加していく傾向が見られた。このため結果的に放射線検出器１０１の寿命が短くなっていた。これらの現象は、半導体膜１０３の特性によらず発生した。【０００９】
この発明は、このような事情に鑑みてなされたものであって、欠損画素の発生および欠損画素の増大、増加を抑制して長寿命化することができる放射線検出器を提供することを目的とする。
【課題を解決するための手段】
【００１０】
本発明者は鋭意研究の結果、次の知見を得ることができた。すなわち、半導体層の特性によらず欠損画素が発生するのは、放射線検出器の構造に由来すると考えられた。そこで、シミュレーションを実施した（図７（ａ）および図８（ａ）参照）。放射線検出器のサイズは、例えば概略５００×５００×５ｍｍ程度である。硬化性合成樹脂膜は、例えば室温（４０℃未満）硬化型エポキシ樹脂を使用した場合、硬化するときに体積が収縮する。室温硬化型エポキシ樹脂は、放射線検出器の空間内部の壁面に密着しながら収縮し、空間内部に注入された室温硬化型エポキシ樹脂の厚みの差により収縮量が異なる。これらにより、放射線検出器の空間ＳＰ内部に注入される室温硬化型エポキシ樹脂を硬化するときに複雑な硬化状況となる。そのため、放射線検出器において、半導体層、アクティブマトリックス基板、絶縁性の補助板および枠材等で囲まれて構成された空間内部に注入される硬化性合成樹脂は、空間の形状の不均一性や不均一な部分の急激な変化により、硬化性合成樹脂の体積収縮の不均一性が発生する。そのため、半導体層の特定部分（例えば、半導体層の四隅や、絶縁性の補助板と枠材の接合部分近傍）に他部分と比較して大きな応力が加わることがわかった。【００１１】
本発明は、上記の知見に基づきなされたものであって、その目的を達成するために、次のような構成をとる。すなわち、本発明に係る放射線検出器は、放射線の入射により電荷を生成する放射線感応型の半導体層と、前記半導体層の下層に配置され、前記半導体層で生じた電荷を収集する画素電極と前記電荷を読み出す電荷読み出し回路とが形成されたアクティブマトリックス基板と、前記半導体層を挟んで前記アクティブマトリックス基板と対面して配置され、前記アクティブマトリクス基板と同程度の熱膨張係数を有する絶縁性の補助板と、前記補助板を支持するとともに、前記アクティブマトリックス基板と前記補助板との間のスペーサとして用いられる枠材と、少なくとも前記半導体層、前記アクティブマトリックス基板、前記補助板、および前記枠材により囲まれて構成された空間に高耐圧の硬化性合成樹脂を注入硬化させて形成される高耐圧の硬化性合成樹脂膜と、を備えていて、前記空間を構成する少なくとも前記半導体層、前記アクティブマトリックス基板、前記補助板、および前記枠材のいずれか、またはそれらの隣接する２つの表面に生じた段差には、傾斜が形成されていることを特徴とするものである。【００１２】
本発明に係る放射線検出器によれば、硬化性合成樹脂が注入される空間を構成する少なくとも半導体層、アクティブマトリックス基板、絶縁性の補助板、および前記枠材のいずれか、またはそれらの隣接する２つの表面に生じた段差には、傾斜が形成されている。そのため、その空間内部に注入される硬化性合成樹脂の膜厚に急激な変化が無く緩やかに変化するようにすることができる。そのため、硬化性合成樹脂の硬化収縮後に、半導体層上の特定の位置に応力が集中せずに応力を分散させることができるので、半導体層の部分的な劣化、すなわち欠損画素の発生および欠損画素の増大、増加を抑制することができる。これにより、放射線検出器を長寿命化することができる。【００１３】
本発明に係る放射線検出器において、前記空間の上面にあたる前記枠材は、前記空間の上面にあたる前記補助板の表面と同じ高さに合わせて平面状に形成されていることが好ましい。これにより、空間の上面にあたる枠材の形状を、空間の上面にあたる補助板の表面と同じ高さに合わせて平面状に形成させているので、枠材と補助板との接合部分に生じていた段差を平坦にすることができる。そのため、平坦にした部分において、空間に注入される硬化性合成樹脂の膜厚分布を均一にすることができるので、硬化性合成樹脂の硬化収縮後に、半導体層上の特定の位置に応力が集中せずに応力を分散させることができる。【００１４】
本発明に係る放射線検出器において、前記空間の上面にあたる前記枠材は、さらに、前記アクティブマトリックス基板上に形成された前記半導体層の外側の領域と対面する前記空間の上面にあたる前記枠材の領域に、前記半導体層と同じ厚みの段差が設けられていることが好ましい。空間の上面にあたる枠材の形状を、空間の上面にあたる補助板の表面と同じ高さに合わせて平面状に形成させ、さらに、アクティブマトリックス基板上に形成された半導体層の外側の領域と対面する空間の上面にあたる枠材の領域に、半導体層と同じ厚みで傾斜を有する段差が設けられている。すなわち、枠材の形状を整形させることにより、注入される硬化性合成樹脂を半導体層の内側と外側とで膜厚分布を均一にすることができる。また、注入される硬化性合成樹脂の膜厚分布を均一にしても、まだ半導体層の内側と外側との境目部分で段差を有したままである。しかしながら、その段差には、傾斜が形成されているので、その段差の形状が急激に変化するのではなく緩やかに変化させることができる。それらにより、放射線検出器の内部空間に注入される硬化性合成樹脂の膜厚分布が均一になり、膜厚に急激な変化が無く緩やかになるようにすることができる。その結果、硬化性合成樹脂の硬化収縮後に半導体層上の特定の位置に応力が集中せずに応力を分散させることができる。【００１５】
本発明に係る放射線検出器において、前記補助板の端部が前記半導体層よりも外側に位置している場合、前記空間の上面にあたる前記補助板は、前記アクティブマトリックス基板上に形成された前記半導体層の外側の領域と対面する前記空間の上面にあたる前記補助板の領域に、前記半導体層と同じ厚みの厚み補正部材が形成されていることが好ましい。補助板の端部が半導体層よりも外側に位置している場合、特に、枠材の外周部分近傍まで補助板が達する場合は、空間の上面にあたる枠材の内側の形状を整形することができないので、半導体層の外側の領域と対面する空間の上面にあたる補助板の領域に、半導体層と同じ厚みで傾斜を有する厚み補正部材を形成させている。これにより、注入される硬化性合成樹脂を半導体層の内側と外側とで膜厚分布を均一にすることができる。また、注入される硬化性合成樹脂の膜厚分布を均一にしても、まだ半導体層の内側と外側との境目部分で段差を有したままである。しかしながら、その段差には、傾斜が形成されているので、その段差の形状が急激に変化するのではなく緩やかに変化させることができる。それらにより、放射線検出器の内部空間に注入される硬化性合成樹脂の膜厚分布が均一になり、膜厚に急激な変化が無く緩やかになるようにすることができる。その結果、硬化性合成樹脂の硬化収縮後に半導体層上の特定の位置に応力が集中せずに応力を分散させることができる。【００１６】
本発明に係る放射線検出器において、前記空間内部の前記補助板と前記枠材との隙間に生じた段差には、埋め込み樹脂部が形成されていることが好ましい。枠材に補助板を接着させて枠材と補助板とを一体化させているが、その補助板の接着の際における枠材とのはめあい公差を考慮する必要があり、補助板の寸法よりも枠材の接着部分の形状が大きめに形成されている。そのため、空間内部の枠材と補助板との接合部分には隙間による段差が生じる。この段差部分に埋め込み樹脂部を形成させることにより、注入される硬化性合成樹脂の膜厚分布を均一にすることができるので、硬化性合成樹脂の硬化収縮後に半導体層上の特定の位置に応力が集中せずに応力を分散させることができる。【００１７】
本発明に係る放射線検出器において、前記空間内部の前記補助板および前記厚み補正部材と前記枠材との隙間に生じた段差には、埋め込み樹脂部が形成されていることが好ましい。上述のように、補助板の寸法よりも枠材の接着部分の形状が大きめに形成されているので、厚み補正部材が形成された空間内部の補助板と枠材との間には、隙間による段差が生じ、さらに厚み補正部材と枠材との間に隙間による段差が生じる。これらの段差部分に埋め込み樹脂部を形成させることにより、注入される硬化性合成樹脂の膜厚分布を均一にすることができるので、硬化性合成樹脂の硬化収縮後に半導体層の特定の位置に応力が集中せずに応力を分散させることができる。【００１８】
本発明に係る放射線検出器において、前記補助板と前記枠材は一体成形され、前記枠材は前記厚み補正部材および前記埋め込み樹脂部を含むように形成されていることが好ましい。これにより、製作を簡易にすることができる。【００１９】
本発明に係る放射線検出器において、前記厚み補正部材は、アクリル、エポキシ樹脂、ポリカーボネートおよび石英ガラスのいずれかで形成されていることが好ましい。また、前記埋め込み樹脂部は、エポキシ樹脂で形成されていることが好ましい。【００２０】
本発明に係る放射線検出器において、前記空間を構成する少なくとも前記半導体層、前記アクティブマトリックス基板、前記補助板、および前記枠材のいずれか、またはそれらの組み合わせの表面に生じた段差に形成される傾斜の一例は、その段差の角部に面取りまたは丸み付けさせることである。これにより、硬化性合成樹脂を注入して硬化収縮後に、段差部分に生じる応力集中を分散させることができるので、これに起因して半導体層上の特定の位置に応力が集中せずに応力を分散させることができる。また、段差に傾斜を形成し、傾斜の両端の角部に面取りまたは丸み付けさせることにより、さらに注入する硬化性合成樹脂の膜厚に急激な変化が無く緩やかに変化するようにすることができる。
【発明の効果】
【００２１】
本発明に係る放射線検出器によれば、少なくとも半導体層、アクティブマトリックス基板、絶縁性の補助板、および枠材により囲まれて構成された空間は、その空間内部に注入される硬化性合成樹脂の膜厚に急激な変化が無く緩やかに変化するように構成されている。そのため、硬化性合成樹脂を注入して硬化収縮後に、半導体層上の特定の位置に応力が集中せずに応力を分散させることができるので、半導体層の部分的な劣化、すなわち欠損画素の発生および欠損画素の増大、増加を抑制することができる。これにより、放射線検出器を長寿命化することができる。
【図面の簡単な説明】
【００２２】
【図１】実施例に係る放射線検出器（ＦＰＤ）の構成を示す平面図である。
【図２】実施例に係る図１に示す放射線検出器のＡ‐Ａ視断面左側の構成を示す縦断面図である。
【図３】実施例に係る図１に示す放射線検出器のＢ‐Ｂ視断面左側の構成を示す縦断面図である。
【図４】実施例に係る放射線検出器の半導体層、アクティブマトリックス基板等の構成を示す模式断面図である。
【図５】実施例に係る放射線検出器のアクティブマトリックス基板とそのまわりの電気回路を示すブロック図である。
【図６】高耐圧の硬化性合成樹脂膜の膜厚に急激が変化無く緩やかに変化するように構成させていることを、リード線部分を例に説明した図であり、（ａ）は急激な変化を有する段差を示し、（ｂ）は段差に傾斜が形成されている場合を示し、（ｃ）は段差に面取りまたは丸み付けされている場合を示す。
【図７】実施例に係る図１に示す放射線検出器のＡ‐Ａ視断面右側の構成において、半導体層の位置と半導体層表面に加わる応力の関係を示した図であり、（ａ）は従来型の構成のシミュレーション結果を示し、（ｂ）は改良型の構成のシミュレーション結果を示す。
【図８】実施例に係る図１に示す放射線検出器のＢ‐Ｂ視断面右側の構成において、半導体層の位置と半導体層表面に加わる応力の関係を示した図であり、（ａ）は従来型の構成のシミュレーション結果を示し、（ｂ）は改良型の構成のシミュレーション結果を示す。
【図９】放射線検出器の同一領域における欠損画素発生状況を示した一部拡大図であり、（ａ）は従来型の放射線検出器の場合を示し、（ｂ）は実施例の放射線検出器の場合を示す。
【図１０】変形例に係る放射線検出器の構成を示す縦断面図である。
【図１１】図２における放射線検出器の従来構成を示す縦断面図である。
【図１２】図３における放射線検出器の従来構成を示す縦断面図である。
【符号の説明】
【００２３】
１    …  放射線検出器（ＦＰＤ）
３    …  半導体層
５    …  共通電極
７    …  リード線
９    …  アクティブマトリックス基板
１１  …  補助板
１３  …  枠材
１５  …  硬化性合成樹脂膜
４１  …  埋め込み樹脂部
４３  …  厚み補助部材
ＳＰ  …  空間
【実施例】
【００２４】
以下、図面を参照して本発明の実施例を説明する。実施例の放射線検出器は、フラットパネル型放射線検出器（以下、適宜「ＦＰＤ」と略記）を一例に説明する。なお、図１は、実施例に係る放射線検出器（ＦＰＤ）の構成を示す平面図であり、図２は、図１に示す放射線検出器のＡ‐Ａ視断面左側の構成を示す縦断面図であり、図３は、図１に示す放射線検出器のＢ‐Ｂ視断面左側の構成を示す縦断面図である。また、図４は、放射線検出器の半導体層、アクティブマトリックス基板等の構成を示す模式断面図であり、図５は、放射線検出器のアクティブマトリックス基板とそのまわりの電気回路を示すブロック図である。【００２５】
＜フラットパネル型放射線検出器（ＦＰＤ）＞
図１を参照する。本実施例のＦＰＤ１は、上下の辺と左右の辺で異なる断面構造を有している。すなわち、図１のＦＰＤ１は、Ａ‐Ａ視とＢ‐Ｂ視の断面構造が、それぞれ図２および図３に示すように異なっている。【００２６】
ＦＰＤ１は、図２および図３に示すように、放射線の入射により電荷を生成する放射線感応型の半導体層３と、この半導体層３の上面に形成されて半導体層３にバイアス電圧を与える共通電極５とを備えている。共通電極５には、有効画素領域ＳＡの外側となる共通電極５位置に接続されるバイアス電極供給用のリード線７が備えられている（図１参照）。また、半導体層３の下層には、アクティブマトリックス基板９が備えられている。【００２７】
また、ＦＰＤ１は、半導体層３を挟んでアクティブマトリックス基板９と対面して配置される絶縁性の補助板１１と、この補助板１１を支持するとともに、アクティブマトリックス基板９と補助板１１との間のスペーサとして用いられる枠材１３とを備えている。また、ＦＰＤ１は、アクティブマトリックス基板９上の半導体層３と共通電極５とを覆うように高耐圧の硬化性合成樹脂膜１５を備えている。【００２８】
図４を参照する。放射線感応型の半導体層３は、厚膜層３Ａと、この厚膜層３Ａの表面と裏面にそれぞれ配置されたキャリア選択性の中間層３ａ，３ｂとの３層構成となっている。共通電極５側の中間層３ａとアクティブマトリックス基板９側の中間層３ｂは、キャリア選択性の高抵抗膜で形成されている。【００２９】
半導体層３の厚膜層３Ａには、アモルファスセレン（ａ‐Ｓｅ）等のアモルファス半導体膜やＣｄＺｎＴｅ等の化合物半導体膜が用いられる。厚膜層３Ａの厚みは、通常、０．５ｍｍ〜１．５ｍｍ程度である。【００３０】
半導体層３の中間層３ａ，３ｂには、ＮａやＣｌ，Ａｓ，Ｔｅ等をドープしたアモルファスセレン膜やＳｂ２Ｓ３やＣｄＳ等の化合物半導体膜が用いられる。中間層３ａ，３ｂの厚みは、通常、０．０１μｍ〜１０μｍ程度である。なお、半導体層３の場合、キャリア選択性の中間層３ａ，３ｂを必ず設ける必要はなく、中間層３ａ，３ｂの一方または両方が省かれてもよい。【００３１】
図４および図５を参照する。アクティブマトリックス基板９は、放射線の入射により半導体層３で生成した電荷を画素ごとに収集する画素電極２１と、収集した電荷を読み出す電荷読み出し回路２３とを備えている。画素電極２１は２次元マトリックス状に配置されている。電荷読み出し回路２３は、画素電極２１に収集された電荷を蓄積するコンデンサ２５と、コンデンサ２５に蓄積された電荷を読み出すスイッチング素子としてのＴＦＴ（薄膜電界効果トランジスタ）２７と、電気配線２９ａ，２９ｂとを備えている。画素電極２１ごとに１個のコンデンサ２５と１個のＴＦＴ２７が配置されている。【００３２】
また、電気配線２９ａは、一方には、行（横）方向に配置した各ＴＦＴ２７のゲートが接続されており、他方には、ゲートドライバ３１が接続されている。また、電気配線２９ｂは、一方には、列（縦）方向に配置した各ＴＦＴ２７のドレインが接続されており、他方には、順番に、電荷電圧変換型増幅器３３、マルチプレクサ３５、Ａ／Ｄ変換器３７が別デバイスとしてアクティブマトリックス基板９の外付けの形で配置接続されている。【００３３】
実施例のＦＰＤ１による放射線検出の際は、先ず、バイアス供給電源（図示しない）によって出力される数ｋＶ〜数十ｋＶ程度のバイアス電圧がバイアス電圧供給用のリード線７を経由して共通電極５から放射線感応型の半導体層３に与えられる。検出対象の放射線の入射に伴って半導体層３で電荷が生成される。半導体層３で生じた電荷は、（詳しくは各画素電極２１へ移動することで画素電極２１に電荷が誘起するかたちで）各画素電極２１に収集される。各画素電極２１で収集された電荷は、ゲートドライバ３１からの電気信号に基づき、アクティブマトリックス基板９の電荷読み出し回路２３等により放射線検出信号として電気配線２９ｂから順次に読み出される。順次に読み出された放射線検出信号は、電荷電圧変換型増幅器３３、マルチプレクサ３５、Ａ／Ｄ変換器３７の順番に通過した後、画像処理回路に送られて放射線画像が生成される。すなわち、実施例のＦＰＤ１は、有効画素領域ＳＡに投影される放射線を２次元マトリックス状に配置した、放射線画像の各画素に対応した画素電極２１により、２次元強度分布に応じた放射線検出信号を検出して放射線画像を得ることができる。【００３４】
アクティブマトリックス基板９の基材９ａ（図４参照）としては、例えば、石英ガラス等が用いられる。また、絶縁性の補助板１１は、アクティブマトリックス基板９の基材９ａと同程度の熱膨張係数を持つとともに、放射線の透過性の良いものが好ましい。すなわち、補助板１１の材料として、例えば、石英ガラス等が用いられる。アクティブマトリックス基板９や補助板１１の厚みは、０．５ｍｍ〜１．５ｍｍ程度である。補助板１１は、半導体層３と共通電極２１、硬化性合成樹脂膜１５を挟んで、アクティブマトリックス基板９と対面して配置されているので、熱膨張係数によるＦＰＤ１の反りを抑制することができる。【００３５】
枠材１３には、絶縁性の補助板１１が接着されている。枠材１３は、補助板１１を接着した後に、半導体層３と共通電極５が形成されたアクティブマトリックス基板９上に固定される。そして、枠材１３をアクティブマトリックス基板上に固定した後で、ＦＰＤ１の内部に高耐圧の硬化性合成樹脂が注入される。枠材１３の材料として、ポリカーボネート、ＡＢＳ樹脂等が挙げられる。【００３６】
なお、共通電極５および画素電極２１は、Ａｕ、Ｐｔ、Ｎｉ、Ａｌ、Ｔａ、Ｉｎ等の金属やＩＴＯ等で形成される。共通電極５の厚みは、０．１μｍ程度である。【００３７】
＜高耐圧の硬化性合成樹脂膜＞
図２および図３を参照する。高耐圧の硬化性合成樹脂膜１５は、例えば、室温（４０℃未満）で硬化する室温硬化型のエポキシ樹脂が用いられる。硬化性合成樹脂膜１５は、半導体層３、共通電極５、アクティブマトリックス基板９、補助板１１、および枠材１３等により囲まれて構成された空間ＳＰ内部に硬化性合成樹脂を注入硬化させて形成される。【００３８】
空間ＳＰは、その空間ＳＰ内部に注入される高耐圧の硬化性合成樹脂の膜厚に急激な変化が無く緩やかに変化するように、または、膜厚分布が均一になるように構成されている。【００３９】
図２に示すような、ＦＰＤ１の断面構造（Ａ‐Ａ視断面の左側）の場合、すなわち、絶縁性の補助板１１が枠材１３の外周部分の内側近傍まで達していない場合、先ず空間ＳＰの上面にあたる枠材１３は、空間ＳＰの上面にあたる補助板１１の表面と同じ高さに合わせて平面状に形成され、さらに、アクティブマトリックス基板９上に形成された半導体層３の外側の領域と対面する空間ＳＰの上面にあたる枠材１３の領域に、半導体層３と同じ厚みの段差が設けられている。この枠材１３の表面に生じた段差には、傾斜が形成されている。空間ＳＰ内部の補助板１１と枠材１３との隙間に生じた段差には、埋め込み樹脂部４１が形成されている。【００４０】
すなわち、図２の示すような断面構造の場合は、補助板１１が枠材１３の外周部分の内側近傍まで達していない。この場合、半導体層３の形成されていない半導体層３の外側の部分に対応する枠材１３の内側の形状を変形させ、硬化性合成樹脂が注入される部分の厚みが均一になるように整形させている。また、枠材１３に補助板１１を接着する部分は、枠材１３の補助板１１を接着する部分の寸法と補助板１１の寸法を同じにすることは難しいので、はめあい公差を必要とする。このため、枠材１３に補助板１１を接着した後、枠材１３と補助板１１との接合部分には隙間による段差が生じる。この段差にエポキシ樹脂等で埋めて埋め込み樹脂部４１を形成させている。これにより、後で注入する硬化性合成樹脂がこの部分で大きく厚みが変わらないようにしている。【００４１】
また、図３に示すような、ＦＰＤ１の断面構造（Ｂ‐Ｂ視断面の左側）の場合、すなわち、補助板１１が枠材１３の外周部分の内側近傍まで達している場合、空間ＳＰの上面にあたる補助板１１は、アクティブマトリックス基板９上に形成された半導体層３の外側の領域と対面する空間ＳＰの上面にあたる補助板１１の領域に、半導体層３と同じ厚みの厚み補正部材４３が形成されている。また、補助板１１と厚み補正部材４３との表面に生じた段差には、傾斜が形成されている。また、空間ＳＰ内部の補助板１１および厚み補正部材４３と枠材１３との隙間に生じた段差には、埋め込み樹脂部４１が形成されている。【００４２】
すなわち、図３に示すような断面構造の場合は、補助板１１が枠材１３の外周部分の内側近傍まで達している。この場合、図２に示すように枠材１３の内側の形状を変形させることができないので、補助板１１を枠材１３に接着した後に、アクティブマトリックス基板９に形成される半導体層３の外側の領域と対面する補助板１１の領域に、傾斜をつけた厚み補正部材４３（例えば、アクリル板）を貼り付け等により形成させている。また、上述したように枠材１３と補助板１１との接合部分には、隙間による段差が生じている。図３に示すように、補助板１１には、厚み補正部材４３が形成されるので、さらに隙間による段差が大きなものになる。この場合も同様に、段差部分にエポキシ樹脂等で埋めて埋め込み樹脂部４１を形成させている。なお、厚み補正部材４３は、アクリル、エポキシ樹脂、ポリカーボネート、石英ガラス等を用いている。【００４３】
また、硬化性合成樹脂が注入される空間ＳＰには、例えば、半導体層３の場合、その周囲を埋め込み樹脂部４１を形成するなどして段差をなくすことが難しいので、アクティブマトリックス基板９に形成される半導体層３の外側の領域と対面する領域に、図２では、枠材１３の内側の形状を整形させて、あるいは、図３では、補助板１１に厚み補正部材４３を形成させて、膜厚分布が均一になるように構成させている。しかしながら、膜厚分布が均一であるものの、段差を有する構成になっている。この場合、注入された硬化性合成樹脂を硬化する際にその段差部分で応力が集中するおそれがある。そこで、その段差の境目部分の形状が垂直であったり、角張った形状であったりすることによる急激な変化を無く緩やかに変化するように、段差に傾斜を設けている。これにより、注入された硬化性合成樹脂を硬化する際に段差部分に応力が集中せずに応力を分散させることができるので、それに起因して半導体層３上の特定の位置に集中する応力を分散させることができる。【００４４】
また、図６に示すように、ＦＰＤ１はバイアス電極供給用のリード線７を備えている。このリード線７を配置する際に、リード線７の絶縁性を確保するためのある程度の厚みが必要である。この場合、例えば、図６（ａ）に示すように角張った段差を有する構成になる。この場合でも、図６（ｂ）に示すように、段差に急激な変化を無く緩やかに変化するように傾斜を設けることにより、空間ＳＰ内部に注入される硬化性合成樹脂の硬化収縮後に、段差部分に応力が集中せずに分散させることができるので、これに起因して半導体層３の特定の位置に集中する応力を分散させることができる。また、図６（ｃ）に示すように、空間ＳＰ内部の段差の角部に面取り（図中破線）または丸み付けさせて傾斜を形成させてもよい。なお、図６（ｂ）に示すような傾斜の断面形状は、直線のものに限らず曲線であってもよい。また、図６（ｂ）に示すような段差部分に形成された傾斜の両端に、図６（ｃ）に示すような面取りおよび丸み付けさせた傾斜を組み合わせて形成させてもよい。【００４５】
なお、半導体層３端部の側面の断面形状は、実際には、図３の破線ｂで示すような傾斜を持っているが、さらに、図３の実線で示すような傾斜になるように、エポキシ樹脂等で傾斜を形成してもよい。また、傾斜部分の膜厚分布が同じになるように、例えば、傾斜部分の厚みＴと他の部分の厚みｔが同じようにすることが好ましい。【００４６】
＜シミュレーション結果＞
シミュレーション結果を図７および図８を参照して説明する。なお、図７は、図１に示す放射線検出器のＡ‐Ａ視断面右側の構成において、半導体層の位置と半導体層表面に加わる応力の関係を示した図であり、（ａ）は従来型の構成のシミュレーション結果を示し、（ｂ）は改良型の構成のシミュレーション結果を示す。また、図８は、図１に係る放射線検出器のＢ−Ｂ視断面右側の構成において、半導体層の位置と半導体層表面に加わる応力の関係を示した図であり、（ａ）は従来型の構成のシミュレーション結果を示し、（ｂ）は改良型の構成のシミュレーション結果を示す。【００４７】
図７（ａ）に示すように、従来型のＦＰＤ１０１の構成では、絶縁性の補助板１１１とこれを支持する枠材１１３との接合部分で段差が生じ、ここで高耐圧の硬化性合成樹脂膜１１５の膜厚に大きな段差が生じていた。また、アクティブマトリックス基板１０９の半導体層１０３が形成されていない外側の部分では、半導体層１０３が形成されている部分に比べ、硬化性合成樹脂の膜厚に大きな段差が生じていた。このとき、図７（ａ）のグラフ中の丸枠内に示すように、補助板１１１と枠材１１３の接合部分に対応する半導体層１０３上に、Ｚ方向に比較的大きな応力が加わっている。これに対し、図７（ｂ）に示すように、改良型のＦＰＤ１の構成は、ＦＰＤ１の内部空間ＳＰに注入される硬化性合成樹脂の膜厚が均一になるように、膜厚に急激な変化が無く緩やかに変化するように、枠材１３の内側の形状を整形させている。また、補助板１１と枠材１３との接合部分の隙間により生じた段差には、埋め込み樹脂部４１を形成させている。これにより、図７（ｂ）のグラフ中の丸枠内に示すように、図７（ａ）で半導体層３上に加わっていた応力を下げることができる。【００４８】
図８（ａ）に示すように、図７（ａ）と同様に、従来型のＦＰＤ１０１の構成では、絶縁性の補助板１１１と枠材１１３との接合部分で段差が生じ、また、アクティブマトリックス基板１０９上に形成された半導体層１０３の内側と外側の境目にも段差が生じ、これらの硬化性合成樹脂の膜厚に大きな段差が生じていた。そのため、図８（ａ）のグラフ中の丸枠内に示すように、半導体層１０３の端部には、Ｚ方向に比較的大きな応力が加わっている。これに対し、図８（ｂ）に示すように、改良型のＦＰＤ１の構成は、半導体層３の外側の領域に対応する絶縁性の補助板１１の領域に、端部に傾斜を有する厚み補正部材４３を形成されている。また、絶縁性の補助板１１および厚み補正部材４３と枠材１３との間の隙間により生じた段差には、埋め込み樹脂部４１を形成させている。これにより、図８（ｂ）のグラフ中の丸枠内に示すように、図８（ａ）で半導体層３上に加わっていた応力を下げることができる。【００４９】
以上の構成を備えたＦＰＤ１によれば、少なくとも半導体層３、アクティブマトリックス基板９、補助板１１、および枠材１３等で構成される空間ＳＰは、この空間ＳＰ内部に注入される硬化性合成樹脂の膜厚に急激な変化が無く緩やかに変化するように、または、膜厚分布が均一になるように構成されている。空間ＳＰ内部に注入された硬化性合成樹脂の硬化収縮後に、半導体層上の特定の位置に応力が集中せずに分散して、半導体層３全体に応力が均一に加わるようになっている。そのため、半導体層３の部分的な劣化、すなわち、半導体層３の四隅、あるいは補助板１１と枠材１３との接合部分近傍で生じる欠損画素の発生および発生箇所の増大、増加を防ぐことができる。それにより、ＦＰＤ１を長寿命化することができる。【００５０】
図９を参照する。図９は、ＦＰＤ１，１０１に放射線を照射しないで、バイアス電圧を共通電極５に印加し、ほぼ同一時間連続運転して、画像を読み出したものである。図９（ａ）は、従来型のＦＰＤ１０１により画像を読み出したものの一部拡大図である。欠損画素は、補助板１１の端を中心に広がってライン状に発生している。一方、図９（ｂ）は、改良したＦＰＤ１により画像を読み出したものの一部拡大図（図９（ａ）と同一領域）である。欠損画素は、ほとんど見られないことを示している。【００５１】
この発明は、上記実施形態に限られることはなく、下記のように変形実施することができる。【００５２】
（１）上述した実施例では、絶縁性の補助板１１は、図３に示すように、枠材１３の外周近傍まで達していたが、この構成に限られない。例えば、枠材１３の外周近傍まで達していない場合でも、半導体層３よりも外側に位置している場合、空間ＳＰの上面にあたる補助板１１は、アクティブマトリックス基板９上に形成された半導体層３の外側の領域と対面する空間ＳＰの上面にあたる補助板１１の領域に、半導体層３と同じ厚みの厚み補正部材４３を形成させてもよい。この場合、補助板１１と枠材１３との隙間に生じた段差には埋め込み樹脂部４１を形成させてもよい。また、図１０に示すように、空間ＳＰの上面にあたる枠材１３の形状を、前記空間の上面にあたる前記補助板の表面と同じ高さに合わせて平面状に形成させ、さらに、アクティブマトリックス基板９上に形成された半導体層３の外側の領域と対面する空間ＳＰの上面にあたる枠材１３の領域に、半導体層３と同じ厚みの段差が設ける。そして、補助板１１および厚み補正部材４３と枠材１３との隙間に生じた段差に埋め込み樹脂部４１を形成させた構成でもよい。【００５３】
（２）上述した実施例では、ＦＰＤ１は、図１のように、上下の辺と左右の辺とで断面構造が異なっていたが、この構成に限られない。例えば、上下左右全ての辺が図２のような断面構造を有していてもよく、またバイアス電圧印加用のケーブル形状や導入方法を工夫し、共通電極へバイアス電圧が供給できるようにすれば、上下左右全ての辺が図３のような断面構造を有していてもよい。また、上下左右全ての辺が図１０のような断面構造を有していてもよい。【００５４】
（３）上述した実施例では、枠材１３に補助板１１を接着した後、厚み補正部材４３を形成し、補助板１１および厚み補正部材４３と枠材１３との間、あるいは補助板１１と枠材１３との間に生じた段差に埋め込み樹脂部４１を形成したが、これに限られない。例えば、図８（ｂ）に示すように、枠材１３に補助板１１を接着した後、補助板１１と枠材１３との間に生じた段差に埋め込み樹脂部４１を形成させて、その後に厚み補正部材４３を形成させてもよい。この場合、厚み補正部材４３と枠材１３との間に生じる段差を有しないように形成されることが好ましい。なお、実施例の構成の方が、この段落の変形例よりも簡易に形成することができる。【００５５】
（４）上述した実施例では、枠材１３に絶縁性の補助板１１を接着して形成し、補助板１１の所定の位置に厚み補正部材４３を形成し、補助板１１および厚み補正部材４３と枠材１３の隙間に生じる段差に埋め込み樹脂部４１を形成させていたが、これに限られない。例えば、補助板１１と枠材１３は一体成形され、枠材１３は、厚み補正部材４３および埋め込み樹脂部４１を含むように形成されていてもよい。成形型に補助板１１をセットして厚み補正部材４３および埋め込み樹脂部４１を含むように枠材１３を成形する。これにより、製作を簡易にすることができる。【００５６】
（５）上述した実施例では、直接変換型のＦＰＤであったが、間接変換型のＦＰＤでもよい。
【図１】
2011055508.tif 000003
【図２】
2011055508.tif 000004
【図３】
2011055508.tif 000005
【図４】
2011055508.tif 000006
【図５】
2011055508.tif 000007
【図６】
2011055508.tif 000008
【図７】
2011055508.tif 000009
【図８】
2011055508.tif 000010
【図９】
2011055508.tif 000011
【図１０】
2011055508.tif 000012
【図１１】
2011055508.tif 000013
【図１２】
2011055508.tif 000014
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
放射線の入射により電荷を生成する放射線感応型の半導体層と、
前記半導体層の下層に配置され、前記半導体層で生じた電荷を収集する画素電極と前記電荷を読み出す電荷読み出し回路とが形成されたアクティブマトリックス基板と、
前記半導体層を挟んで前記アクティブマトリックス基板と対面して配置され、前記アクティブマトリクス基板と同程度の熱膨張係数を有する絶縁性の補助板と、
前記補助板を挟んで前記半導体層の反対側から内側に延長された形状により前記補助板を支持するとともに、前記アクティブマトリックス基板と前記補助板との間のスペーサとして用いられる枠材と、
少なくとも前記半導体層、前記アクティブマトリックス基板、前記補助板、および前記枠材により囲まれて構成された空間に絶縁性の硬化性合成樹脂を注入硬化させて形成される絶縁性の硬化性合成樹脂膜と、を備えていて、
前記空間を構成する少なくとも前記半導体層、前記アクティブマトリックス基板、前記補助板、および前記枠材のいずれか、またはそれらの隣接する２つの表面に生じた段差には、傾斜が形成され、
前記空間の上面にあたる前記枠材の内側に延長された形状は、前記空間の上面にあたる前記補助板の表面と同じ高さに合わせて平面状に形成されていることを特徴とする放射線検出器。
【請求項２】
請求項１に記載の放射線検出器において、
前記空間の上面にあたる前記枠材の内側に延長された形状は、さらに、前記アクティブマトリックス基板上に形成された前記半導体層の外側の領域と対面する前記空間の上面にあたる前記枠材の領域に、前記半導体層と同じ厚みの段差が設けられていることを特徴とする放射線検出器。
【請求項３】
放射線の入射により電荷を生成する放射線感応型の半導体層と、
前記半導体層の下層に配置され、前記半導体層で生じた電荷を収集する画素電極と前記電荷を読み出す電荷読み出し回路とが形成されたアクティブマトリックス基板と、
前記半導体層を挟んで前記アクティブマトリックス基板と対面して配置され、前記アクティブマトリクス基板と同程度の熱膨張係数を有する絶縁性の補助板と、
前記補助板を支持するとともに、前記アクティブマトリックス基板と前記補助板との間のスペーサとして用いられる枠材と、
少なくとも前記半導体層、前記アクティブマトリックス基板、前記補助板、および前記枠材により囲まれて構成された空間に絶縁性の硬化性合成樹脂を注入硬化させて形成される絶縁性の硬化性合成樹脂膜と、を備えていて、
前記空間を構成する少なくとも前記半導体層、前記アクティブマトリックス基板、前記補助板、および前記枠材のいずれか、またはそれらの隣接する２つの表面に生じた段差には、傾斜が形成され、
前記補助板の端部が前記半導体層よりも外側に位置している場合、前記空間の上面にあたる前記補助板は、前記アクティブマトリックス基板上に形成された前記半導体層の外側の領域と対面する前記空間の上面にあたる前記補助板の領域に、前記半導体層と同じ厚みの厚み補正部材が形成されていることを特徴とする放射線検出器。
【請求項４】
請求項１または２に記載の放射線検出器において、
前記空間内部の前記補助板と前記枠材との隙間に生じた段差には、埋め込み樹脂部が形成されていることを特徴とする放射線検出器。
【請求項５】
請求項３に記載の放射線検出器において、
前記空間内部の前記補助板および前記厚み補正部材と前記枠材との隙間に生じた段差には、埋め込み樹脂部が形成されていることを特徴とする放射線検出器。
【請求項６】
請求項５に記載の放射線検出器において、
前記補助板と前記枠材は一体成形され、前記枠材は前記厚み補正部材および前記埋め込み樹脂部を含むように形成されていることを特徴とする放射線検出器。
【請求項７】
請求項３に記載の放射線検出器において、
前記厚み補正部材は、アクリル、エポキシ樹脂、ポリカーボネートおよび石英ガラスのいずれかで形成されていることを特徴とする放射線検出器。
【請求項８】
請求項４または５に記載の放射線検出器において、
前記埋め込み樹脂部は、エポキシ樹脂で形成されていることを特徴とする放射線検出器。
【請求項９】
請求項１から８のいずれかに記載の放射線検出器において、
前記空間を構成する少なくとも前記半導体層、前記アクティブマトリックス基板、前記補助板、および前記枠材のいずれか、またはそれらの組み合わせの表面に生じた段差には、前記段差の角部に面取りまたは丸み付けさせて傾斜が形成されていることを特徴とする放射線検出器。
【手続補正２】
【補正対象書類名】明細書
【補正対象項目名】００１１
【補正方法】変更
【補正の内容】
【００１１】
本発明は、上記の知見に基づきなされたものであって、その目的を達成するために、次のような構成をとる。すなわち、本発明に係る放射線検出器は、放射線の入射により電荷を生成する放射線感応型の半導体層と、前記半導体層の下層に配置され、前記半導体層で生じた電荷を収集する画素電極と前記電荷を読み出す電荷読み出し回路とが形成されたアクティブマトリックス基板と、前記半導体層を挟んで前記アクティブマトリックス基板と対面して配置され、前記アクティブマトリクス基板と同程度の熱膨張係数を有する絶縁性の補助板と、前記補助板を挟んで前記半導体層の反対側から内側に延長された形状により前記補助板を支持するとともに、前記アクティブマトリックス基板と前記補助板との間のスペーサとして用いられる枠材と、少なくとも前記半導体層、前記アクティブマトリックス基板、前記補助板、および前記枠材により囲まれて構成された空間に絶縁性の硬化性合成樹脂を注入硬化させて形成される絶縁性の硬化性合成樹脂膜と、を備えていて、前記空間を構成する少なくとも前記半導体層、前記アクティブマトリックス基板、前記補助板、および前記枠材のいずれか、またはそれらの隣接する２つの表面に生じた段差には、傾斜が形成され、前記空間の上面にあたる前記枠材の内側に延長された形状は、前記空間の上面にあたる前記補助板の表面と同じ高さに合わせて平面状に形成されていることを特徴とするものである。
【手続補正３】
【補正対象書類名】明細書
【補正対象項目名】００１２
【補正方法】変更
【補正の内容】
【００１２】
本発明に係る放射線検出器によれば、硬化性合成樹脂が注入される空間を構成する少なくとも半導体層、アクティブマトリックス基板、絶縁性の補助板、および枠材のいずれか、またはそれらの隣接する２つの表面に生じた段差には、傾斜が形成されている。そのため、その空間内部に注入される硬化性合成樹脂の膜厚に急激な変化が無く緩やかに変化するようにすることができる。そのため、硬化性合成樹脂の硬化収縮後に、半導体層上の特定の位置に応力が集中せずに応力を分散させることができるので、半導体層の部分的な劣化、すなわち欠損画素の発生および欠損画素の増大、増加を抑制することができる。これにより、放射線検出器を長寿命化することができる。
【手続補正４】
【補正対象書類名】明細書
【補正対象項目名】００１３
【補正方法】変更
【補正の内容】
【００１３】
また、補助板は、半導体層を挟んでアクティブマトリックス基板と対面して配置され、アクティブマトリクス基板と同程度の熱膨張係数を有する絶縁性のものである。また、枠材は、補助板を挟んで半導体層の反対側から内側に延長された形状により補助板を支持するとともに、アクティブマトリックス基板と補助板との間のスペーサとして用いられるものである。そして、空間の上面にあたる枠材の内側に延長された形状は、空間の上面にあたる補助板の表面と同じ高さに合わせて平面状に形成されている。これにより、空間の上面にあたる枠材の内側に延長された形状を、空間の上面にあたる補助板の表面と同じ高さに合わせて平面状に形成させているので、枠材と補助板との接合部分に生じていた段差を平坦にすることができる。そのため、平坦にした部分において、空間に注入される硬化性合成樹脂の膜厚分布を均一にすることができるので、硬化性合成樹脂の硬化収縮後に、半導体層上の特定の位置に応力が集中せずに応力を分散させることができる。
【手続補正５】
【補正対象書類名】明細書
【補正対象項目名】００１４
【補正方法】変更
【補正の内容】
【００１４】
本発明に係る放射線検出器において、前記空間の上面にあたる前記枠材の内側に延長された形状は、さらに、前記アクティブマトリックス基板上に形成された前記半導体層の外側の領域と対面する前記空間の上面にあたる前記枠材の領域に、前記半導体層と同じ厚みの段差が設けられていることが好ましい。空間の上面にあたる枠材の内側に延長された形状を、空間の上面にあたる補助板の表面と同じ高さに合わせて平面状に形成させ、さらに、アクティブマトリックス基板上に形成された半導体層の外側の領域と対面する空間の上面にあたる枠材の領域に、半導体層と同じ厚みで傾斜を有する段差が設けられている。すなわち、枠材の形状を整形させることにより、注入される硬化性合成樹脂を半導体層の内側と外側とで膜厚分布を均一にすることができる。また、注入される硬化性合成樹脂の膜厚分布を均一にしても、まだ半導体層の内側と外側との境目部分で段差を有したままである。しかしながら、その段差には、傾斜が形成されているので、その段差の形状が急激に変化するのではなく緩やかに変化させることができる。それらにより、放射線検出器の内部空間に注入される硬化性合成樹脂の膜厚分布が均一になり、膜厚に急激な変化が無く緩やかになるようにすることができる。その結果、硬化性合成樹脂の硬化収縮後に半導体層上の特定の位置に応力が集中せずに応力を分散させることができる。
【手続補正６】
【補正対象書類名】明細書
【補正対象項目名】００１５
【補正方法】変更
【補正の内容】
【００１５】
また、本発明に係る放射線検出器は、放射線の入射により電荷を生成する放射線感応型の半導体層と、前記半導体層の下層に配置され、前記半導体層で生じた電荷を収集する画素電極と前記電荷を読み出す電荷読み出し回路とが形成されたアクティブマトリックス基板と、前記半導体層を挟んで前記アクティブマトリックス基板と対面して配置され、前記アクティブマトリクス基板と同程度の熱膨張係数を有する絶縁性の補助板と、前記補助板を支持するとともに、前記アクティブマトリックス基板と前記補助板との間のスペーサとして用いられる枠材と、少なくとも前記半導体層、前記アクティブマトリックス基板、前記補助板、および前記枠材により囲まれて構成された空間に絶縁性の硬化性合成樹脂を注入硬化させて形成される絶縁性の硬化性合成樹脂膜と、を備えていて、前記空間を構成する少なくとも前記半導体層、前記アクティブマトリックス基板、前記補助板、および前記枠材のいずれか、またはそれらの隣接する２つの表面に生じた段差には、傾斜が形成され、前記補助板の端部が前記半導体層よりも外側に位置している場合、前記空間の上面にあたる前記補助板は、前記アクティブマトリックス基板上に形成された前記半導体層の外側の領域と対面する前記空間の上面にあたる前記補助板の領域に、前記半導体層と同じ厚みの厚み補正部材が形成されていることを特徴とするものである。
本発明に係る放射線検出器によれば、硬化性合成樹脂が注入される空間を構成する少なくとも半導体層、アクティブマトリックス基板、絶縁性の補助板、および枠材のいずれか、またはそれらの隣接する２つの表面に生じた段差には、傾斜が形成されている。そのため、その空間内部に注入される硬化性合成樹脂の膜厚に急激な変化が無く緩やかに変化するようにすることができる。そのため、硬化性合成樹脂の硬化収縮後に、半導体層上の特定の位置に応力が集中せずに応力を分散させることができるので、半導体層の部分的な劣化、すなわち欠損画素の発生および欠損画素の増大、増加を抑制することができる。これにより、放射線検出器を長寿命化することができる。
また、補助板の端部が半導体層よりも外側に位置している場合、特に、枠材の外周部分近傍まで補助板が達する場合は、空間の上面にあたる枠材の内側の形状を整形することができないので、半導体層の外側の領域と対面する空間の上面にあたる補助板の領域に、半導体層と同じ厚みで傾斜を有する厚み補正部材を形成させている。これにより、注入される硬化性合成樹脂を半導体層の内側と外側とで膜厚分布を均一にすることができる。また、注入される硬化性合成樹脂の膜厚分布を均一にしても、まだ半導体層の内側と外側との境目部分で段差を有したままである。しかしながら、その段差には、傾斜が形成されているので、その段差の形状が急激に変化するのではなく緩やかに変化させることができる。それらにより、放射線検出器の内部空間に注入される硬化性合成樹脂の膜厚分布が均一になり、膜厚に急激な変化が無く緩やかになるようにすることができる。その結果、硬化性合成樹脂の硬化収縮後に半導体層上の特定の位置に応力が集中せずに応力を分散させることができる。
【手続補正７】
【補正対象書類名】明細書
【補正対象項目名】００２３
【補正方法】変更
【補正の内容】
【００２３】
１    …  放射線検出器（ＦＰＤ）
３    …  半導体層
５    …  共通電極
７    …  リード線
９    …  アクティブマトリックス基板
１１  …  補助板
１３  …  枠材
１５  …  硬化性合成樹脂膜
４１  …  埋め込み樹脂部
４３  …  厚み補正部材
ＳＰ  …  空間
【手続補正８】
【補正対象書類名】明細書
【補正対象項目名】００３４
【補正方法】変更
【補正の内容】
【００３４】
アクティブマトリックス基板９の基材９ａ（図４参照）としては、例えば、石英ガラス等が用いられる。また、絶縁性の補助板１１は、アクティブマトリックス基板９の基材９ａと同程度の熱膨張係数を持つとともに、放射線の透過性の良いものが好ましい。すなわち、補助板１１の材料として、例えば、石英ガラス等が用いられる。アクティブマトリックス基板９や補助板１１の厚みは、０．５ｍｍ〜１．５ｍｍ程度である。補助板１１は、半導体層３と共通電極５、硬化性合成樹脂膜１５を挟んで、アクティブマトリックス基板９と対面して配置されているので、熱膨張係数によるＦＰＤ１の反りを抑制することができる。
【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
放射線の入射により電荷を生成する放射線感応型の半導体層と、
前記半導体層の下層に配置され、前記半導体層で生じた電荷を収集する画素電極と前記電荷を読み出す電荷読み出し回路とが形成されたアクティブマトリックス基板と、
前記半導体層を挟んで前記アクティブマトリックス基板と対面して配置され、前記アクティブマトリクス基板と同程度の熱膨張係数を有する絶縁性の補助板と、
枠材外周部から内側に延長された形状により前記補助板を挟んで前記半導体層の反対側から前記補助板を支持するとともに、前記アクティブマトリックス基板と前記補助板との間のスペーサとして用いられる枠材と、
少なくとも前記半導体層、前記アクティブマトリックス基板、前記補助板、および前記枠材により囲まれて構成された空間に絶縁性の硬化性合成樹脂を注入硬化させて形成される絶縁性の硬化性合成樹脂膜と、を備えていて、
前記空間を構成する少なくとも前記半導体層、前記アクティブマトリックス基板、前記補助板、および前記枠材のいずれか、またはそれらの隣接する２つの表面に生じた段差には、傾斜が形成され、
前記空間の上面にあたる前記枠材の内側に延長された形状は、前記空間の上面にあたる前記補助板の表面と同じ高さに合わせて平面状に形成されていると共に、前記アクティブマトリックス基板上に形成された前記半導体層の外側の領域と対面する前記空間の上面にあたる前記枠材の領域に、前記半導体層と同じ厚みの段差が設けられていることを特徴とする放射線検出器。
【請求項２】
放射線の入射により電荷を生成する放射線感応型の半導体層と、
前記半導体層の下層に配置され、前記半導体層で生じた電荷を収集する画素電極と前記電荷を読み出す電荷読み出し回路とが形成されたアクティブマトリックス基板と、
前記半導体層を挟んで前記アクティブマトリックス基板と対面して配置され、前記アクティブマトリクス基板と同程度の熱膨張係数を有する絶縁性の補助板と、
前記補助板を支持するとともに、前記アクティブマトリックス基板と前記補助板との間のスペーサとして用いられる枠材と、
少なくとも前記半導体層、前記アクティブマトリックス基板、前記補助板、および前記枠材により囲まれて構成された空間に絶縁性の硬化性合成樹脂を注入硬化させて形成される絶縁性の硬化性合成樹脂膜と、を備えていて、
前記空間を構成する少なくとも前記半導体層、前記アクティブマトリックス基板、前記補助板、および前記枠材のいずれか、またはそれらの隣接する２つの表面に生じた段差には、傾斜が形成され、
前記補助板の端部が前記半導体層よりも外側に位置している場合、前記空間の上面にあたる前記補助板は、前記アクティブマトリックス基板上に形成された前記半導体層の外側の領域と対面する前記空間の上面にあたる前記補助板の領域に、前記半導体層と同じ厚みの厚み補正部材が形成されていることを特徴とする放射線検出器。
【請求項３】
請求項１に記載の放射線検出器において、
前記空間内部の前記補助板と前記枠材との隙間に生じた段差には、埋め込み樹脂部が形成されていることを特徴とする放射線検出器。
【請求項４】
請求項２に記載の放射線検出器において、
前記空間内部の前記補助板および前記厚み補正部材と前記枠材との隙間に生じた段差には、埋め込み樹脂部が形成されていることを特徴とする放射線検出器。
【請求項５】
請求項４に記載の放射線検出器において、
前記補助板と前記枠材は一体成形され、前記枠材は前記厚み補正部材および前記埋め込み樹脂部を含むように形成されていることを特徴とする放射線検出器。
【請求項６】
請求項２に記載の放射線検出器において、
前記厚み補正部材は、アクリル、エポキシ樹脂、ポリカーボネートおよび石英ガラスのいずれかで形成されていることを特徴とする放射線検出器。
【請求項７】
請求項３または４に記載の放射線検出器において、
前記埋め込み樹脂部は、エポキシ樹脂で形成されていることを特徴とする放射線検出器。
【請求項８】
請求項１から７のいずれかに記載の放射線検出器において、
前記空間を構成する少なくとも前記半導体層、前記アクティブマトリックス基板、前記補助板、および前記枠材のいずれか、またはそれらの組み合わせの表面に生じた段差には、前記段差の角部に面取りまたは丸み付けさせて傾斜が形成されていることを特徴とする放射線検出器。
【手続補正２】
【補正対象書類名】明細書
【補正対象項目名】００１１
【補正方法】変更
【補正の内容】
【００１１】
本発明は、上記の知見に基づきなされたものであって、その目的を達成するために、次のような構成をとる。すなわち、本発明に係る放射線検出器は、放射線の入射により電荷を生成する放射線感応型の半導体層と、前記半導体層の下層に配置され、前記半導体層で生じた電荷を収集する画素電極と前記電荷を読み出す電荷読み出し回路とが形成されたアクティブマトリックス基板と、前記半導体層を挟んで前記アクティブマトリックス基板と対面して配置され、前記アクティブマトリクス基板と同程度の熱膨張係数を有する絶縁性の補助板と、枠材外周部から内側に延長された形状により前記補助板を挟んで前記半導体層の反対側から前記補助板を支持するとともに、前記アクティブマトリックス基板と前記補助板との間のスペーサとして用いられる枠材と、少なくとも前記半導体層、前記アクティブマトリックス基板、前記補助板、および前記枠材により囲まれて構成された空間に絶縁性の硬化性合成樹脂を注入硬化させて形成される絶縁性の硬化性合成樹脂膜と、を備えていて、前記空間を構成する少なくとも前記半導体層、前記アクティブマトリックス基板、前記補助板、および前記枠材のいずれか、またはそれらの隣接する２つの表面に生じた段差には、傾斜が形成され、前記空間の上面にあたる前記枠材の内側に延長された形状は、前記空間の上面にあたる前記補助板の表面と同じ高さに合わせて平面状に形成されていると共に、前記アクティブマトリックス基板上に形成された前記半導体層の外側の領域と対面する前記空間の上面にあたる前記枠材の領域に、前記半導体層と同じ厚みの段差が設けられていることを特徴とするものである。
【手続補正３】
【補正対象書類名】明細書
【補正対象項目名】００１３
【補正方法】変更
【補正の内容】
【００１３】
また、補助板は、半導体層を挟んでアクティブマトリックス基板と対面して配置され、アクティブマトリクス基板と同程度の熱膨張係数を有する絶縁性のものである。また、枠材は、枠材外周部から内側に延長された形状により補助板を挟んで半導体層の反対側から補助板を支持するとともに、アクティブマトリックス基板と補助板との間のスペーサとして用いられるものである。そして、空間の上面にあたる枠材の内側に延長された形状は、空間の上面にあたる補助板の表面と同じ高さに合わせて平面状に形成されている。これにより、空間の上面にあたる枠材の内側に延長された形状を、空間の上面にあたる補助板の表面と同じ高さに合わせて平面状に形成させているので、枠材と補助板との接合部分に生じていた段差を平坦にすることができる。そのため、平坦にした部分において、空間に注入される硬化性合成樹脂の膜厚分布を均一にすることができるので、硬化性合成樹脂の硬化収縮後に、半導体層上の特定の位置に応力が集中せずに応力を分散させることができる。
【手続補正４】
【補正対象書類名】明細書
【補正対象項目名】００１４
【補正方法】変更
【補正の内容】
【００１４】
また、空間の上面にあたる枠材の内側に延長された形状を、空間の上面にあたる補助板の表面と同じ高さに合わせて平面状に形成させ、さらに、アクティブマトリックス基板上に形成された半導体層の外側の領域と対面する空間の上面にあたる枠材の領域に、半導体層と同じ厚みで傾斜を有する段差が設けられている。すなわち、枠材の形状を整形させることにより、注入される硬化性合成樹脂を半導体層の内側と外側とで膜厚分布を均一にすることができる。また、注入される硬化性合成樹脂の膜厚分布を均一にしても、まだ半導体層の内側と外側との境目部分で段差を有したままである。しかしながら、その段差には、傾斜が形成されているので、その段差の形状が急激に変化するのではなく緩やかに変化させることができる。それらにより、放射線検出器の内部空間に注入される硬化性合成樹脂の膜厚分布が均一になり、膜厚に急激な変化が無く緩やかになるようにすることができる。その結果、硬化性合成樹脂の硬化収縮後に半導体層上の特定の位置に応力が集中せずに応力を分散させることができる。
【国際調査報告】
2011055508.tif 000015
2011055508.tif 000016
2011055508.tif 000017
2011055508.tif 000018
2011055508.tif 000019